(57)【要約】【課題】  メモリカードが携帯電話端末やパソコンなど複数ある端末のうちどの端末に接続されていても、特定のメモリカードへ情報が保存され、情報をメモリカード内に一元的に管理できる情報格納方式を提供する。【解決手段】  デジタルテレビ１００に外部から送信された情報を記憶するメモリカード３００が接続されていない時に、デジタルテレビ１００が情報を記憶するメモリカード３００のカードＩＤ３０１を付加した問い合わせ要求を端末２００に送信し、端末２００に情報を記憶するメモリカード３００が接続されている時に、この接続されたメモリカード３００のカードＩＤ３０１とデジタルテレビ１００から送信されたカードＩＤ３０１とが一致した場合に、端末２００がデジタルテレビ１００から送信された情報を端末２００に接続されたメモリカード３００に記憶する。【選択図】        図１
2006128892.tif 000002
【特許請求の範囲】
【請求項１】
自らを識別する識別子が記憶された情報記憶装置と、
外部から送信された情報を受信する受信手段と、前記受信手段で受信した受信情報を記憶する情報記憶装置の識別子を付加した問い合わせ要求を送信し、又前記問い合わせ要求に対する応答を受信すると前記受信手段で受信した前記受信情報を送信する第１の情報処理手段とを有する受信情報提供装置と、
前記情報記憶装置が接続されている場合、前記第１の情報処理手段により送信された前記識別子が接続中の情報記憶装置に記憶された識別子と一致した時に前記問い合わせ要求に対する応答を前記受信情報提供装置に送信し、又前記第１の情報処理手段により送信された前記受信情報を接続中の前記情報記憶装置に記憶する第２の情報処理手段を有する端末と、を備えたことを特徴とする情報格納方式。
【請求項２】
前記受信情報提供装置は、ユーザによる前記情報記憶装置への前記受信情報の記憶の指示を受ける第1のユーザ入力手段と、前記情報記憶装置の識別子が登録された管理手段とを有し、
前記第１の情報処理手段は、前記第1のユーザ入力手段により前記受信情報の記憶の指示を受けた前記情報記憶装置の識別子を前記管理手段から抽出し、この識別子を付加した前記問い合わせ要求を前記端末に送信することを特徴とする請求項１記載の情報格納方式。
【請求項３】
前記第１の情報処理手段は、前記情報記憶装置が接続されている場合、この情報記憶装置に記憶された識別子が前記管理手段に登録された識別子と一致した時に接続中の前記情報記憶装置に前記受信情報を記憶することを特徴とする請求項２記載の情報格納方式。
【請求項４】
前記第１の情報処理手段は、前記情報記憶装置が接続された時にこの情報記憶装置に記憶された識別子が前記管理手段に登録されていない場合に、接続中の前記情報記憶装置の識別子を前記管理手段に登録することを特徴とする請求項２記載の情報格納方式。
【請求項５】
前記情報記憶装置は、前記受信情報を暗号化する暗号鍵が記憶され、
前記管理手段は、前記情報記憶装置に記憶された前記暗号鍵が登録され、
前記第１の情報処理手段は、前記管理手段に登録された前記暗号鍵に基づいて前記受信情報を暗号化して前記端末に送信することを特徴とする請求項２記載の情報格納方式。
【請求項６】
前記情報記憶装置は、前記受信情報を暗号化する公開鍵と、暗号化された前記受信情報を復号する秘密鍵とを記憶し、
前記管理手段は、前記情報記憶装置に記憶された前記公開鍵が登録され、
前記受信情報提供装置は、前記管理手段に登録された公開鍵により前記受信情報を暗号化する第1の暗号処理手段を有し、
前記第１の情報処理手段は、前記情報記憶装置に記憶された前記公開鍵を前記管理手段に登録し、又前記第1の暗号処理手段で暗号化された暗号化受信情報を送信し、
前記第２の情報処理手段は、前記第１の情報処理手段により送信された前記暗号化受信情報を接続中の前記情報記憶装置に記憶することを特徴とする請求項２記載の情報格納方式。
【請求項７】
前記情報記憶装置は、前記第１の情報処理手段により送信された前記暗号化受信情報をユーザから受信情報の表示要求があった時に前記秘密鍵により復号化する第２の暗号処理部を有することを特徴とする請求項６記載の情報格納方式。
【請求項８】
ユーザを認証する暗証番号を入力する第２のユーザ入力手段と、前記第２の暗号処理部により復号化された受信情報を表示する表示手段とを有する表示端末を備え、
前記第２の暗号処理部は、ユーザの認証を行う暗証番号が保存され、この暗証番号が前記第２のユーザ入力手段により入力された暗証番号と一致した時に前記暗号化受信情報を復号化することを特徴とする請求項７記載の情報格納方式。
【請求項９】
前記第１の情報処理手段により送信された前記受信情報を含む電子メールを保存するメールサーバを備え、
前記管理手段は、前記受信情報の送信先のメールアドレスが登録され、
前記第１の情報処理手段は、前記管理手段に登録された前記メールアドレスを送信先とした前記電子メールを作成し前記メールサーバに送信することを特徴とする請求項２記載の情報格納方式。
【請求項１０】
前記情報記憶装置は、前記メールアドレスが記憶され、
前記端末は、前記情報記憶装置が接続された時に前記情報記憶装置に記憶された前記メールアドレスを読み込み、前記メールサーバにこのメールアドレスに対応した電子メールの要求を送信し、又前記メールサーバから送信された前記電子メールを前記情報記憶装置に記憶し、
前記メールサーバは、前記端末により送信された電子メールの要求を受信すると前記メールアドレスに対応した電子メールを前記端末に送信することを特徴とする請求項９記載の情報格納方式。
【請求項１１】
外部から送信された情報を受信情報提供装置が受信する受信ステップと、
前記受信情報提供装置が前記受信ステップにより受信された受信情報を記憶する情報記憶装置の識別子を付加した問い合わせ要求を送信する第1の送信ステップと、
前記受信情報提供装置と接続された端末に自らを識別する識別子が記憶された前記情報記憶装置が接続されている場合、前記第1の送信ステップにより送信された前記識別子が接続中の前記情報記憶装置に記憶された識別子と一致した時に前記端末が前記問い合わせ要求に対する応答を前記受信情報提供装置に送信する第２の送信ステップと、
前記第２の送信ステップにより送信された前記応答を受信すると前記受信情報提供装置が前記受信ステップで受信した受信情報を前記端末に送信する第３の送信ステップと、
前記第３の送信ステップにより送信された前記受信情報を前記端末が接続中の前記情報記憶装置に記憶する記憶ステップと、を備えたことを特徴とする情報格納方法。
【請求項１２】
前記受信情報提供装置がユーザによる前記情報記憶装置への前記受信情報の記憶の指示を受けるユーザ入力ステップと、前記情報記憶装置の識別子が前記受信情報提供装置に登録される管理ステップとを備え、
前記第1の送信ステップは、前記ユーザ入力ステップにより前記受信情報の記憶の指示を受けた前記情報記憶装置の識別子を前記管理ステップにより登録された識別子の中から抽出し、この識別子を付加した前記問い合わせ要求を送信することを特徴とする請求項１１記載の情報格納方法。
【請求項１３】
前記情報記憶装置が前記受信情報提供装置に接続されている場合、前記情報記憶装置に記憶された識別子が前記管理ステップにより登録された識別子と一致した時に接続中の前記情報記憶装置に前記受信情報を記憶する記憶ステップを備えたことを特徴とする請求項１２記載の情報格納方法。
【請求項１４】
外部から送信された情報を受信する受信手段と、
外部の端末と通信を行う通信手段と、
前記情報記憶装置の識別子を付加した問い合わせ要求を前記通信手段を介して前記端末に送信する送信手段と、
前記情報記憶装置が接続された前記端末から、接続された情報記憶装置の識別子と前記送信手段により送信された識別子とが一致した時に送信された前記問い合わせ要求に対する応答を受信すると、前記受信手段で受信した前記受信情報を前記情報記憶装置が接続された端末に送信する情報処理手段と、を備えたことを特徴とする受信情報提供装置。
【請求項１５】
ユーザによる前記情報記憶装置への前記受信情報の記憶の指示を受けるユーザ入力手段と、前記情報記憶装置の識別子が登録された管理手段とを備え、
前記情報処理手段は、前記ユーザ入力手段により前記受信情報の記憶の指示を受けた前記情報記憶装置の識別子を前記管理手段から抽出し、この識別子を付加した問い合わせ要求を前記端末に送信することを特徴とする請求項１４記載の受信情報提供装置。
【請求項１６】
前記情報処理手段は、前記情報記憶装置が接続されている場合、この情報記憶装置に記憶された識別子が前記管理手段に登録された識別子と一致した時に接続中の前記情報記憶装置に前記受信情報を記憶することを特徴とする請求項１５記載の受信情報提供装置。
【請求項１７】
自らを識別する識別子が記憶された情報記憶装置が接続された時に外部から送信された情報を受信する受信情報提供装置により送信された前記情報記憶装置の識別子を付加した問い合わせ要求が接続中の情報記憶装置に記憶された識別子と一致した時に前記問い合わせ要求に対する応答を前記受信情報提供装置に送信する送信手段と、
前記受信情報提供装置により送信された前記応答に対応した前記情報を接続中の前記情報記憶装置に記憶する情報処理手段と、を備えたことを特徴とする情報記憶端末。
【発明の詳細な説明】
【技術分野】
【０００１】
この発明は、送信された情報を受信する受信情報提供装置やこの受信情報提供装置に接続された端末に接続した情報記憶装置に送信された情報を保存する情報格納方式及び情報格納方法に関するものである。
【背景技術】
【０００２】
テレビ等で放送されたレストランの情報や料理のレシピなどの情報を保存（クリッピング）しておきたいというユーザ要求がある。従来は画面上に表示されたレストランの名前や電話番号、住所といった情報を別途ユーザがメモをとらなければならなかった。しかし、近年開始されたデジタルテレビ放送では、従来の映像・音声だけではなくデータ放送と呼ばれるデータとして情報を放送することができるため、このデータをメモリカードなどに保存すれば、ユーザが手でメモをとる必要がなくなる。
【０００３】
上記のような放送データを保存などして利用する方法としては、例えば、デジタルテレビ受信機にメモリカードを挿入して情報を保存し、そのメモリカードをカーナビゲーションシステムに挿入して情報を利用する方法が開示されている(例えば、特許文献１)。
【０００４】
また、テレビジョン受信機のリモートコントローラにメモリカードを挿入し、リモートコントローラの操作によって、テレビジョン受信機から前記リモートコントローラが情報を受信しメモリカードに格納する方法が開示されている。これは、リモートコントローラからテレビジョン受信機へ要求し、それの応答として情報を受信し、リモートコントローラに挿入されたメモリカードへ情報を保存するものである(例えば、特許文献２)。
【０００５】
さらに、放送された情報を電話やメールなどによって、携帯電話などの他の端末へ転送するものである。これは、電話番号などの端末を特定するＩＤをデジタルテレビ受信機に登録し、その登録情報を元に情報を転送している(例えば、特許文献３)。
一方、携帯電話端末には、ＳＤカードやメモリスティックなどのメモリカードをサポートするものが商品化されている。また、メモリカードの容量が増えるにつれ、携帯電話端末やパソコンなどの複数の端末を利用していても、ユーザ毎の情報をひとつのメモリカードへ一元化して保存、管理したいという要求がある。
【特許文献１】特開２００４−２９００６号公報
【特許文献２】特開２００２−２７５７６号公報
【特許文献３】特開２０００−２９５５８８号公報
【発明の開示】
【発明が解決しようとする課題】
【０００６】
上記特許文献１に示すように、従来のデジタルテレビ受信機におけるメモリカードへの情報格納方式は、メモリカードを直接デジタルテレビ受信機に接続して保存するため、情報を保存するたびにユーザがメモリカードをデジタルテレビ受信機に接続するというわずらわしい操作を行う必要がある。
【０００７】
また、上記特許文献２に示すように、リモートコントローラによってメモリカードへ情報を保存する方法においても、情報を保存する際にユーザ操作によってリモートコントローラへメモリカードを挿入する必要がある。特に、携帯電話端末など他の端末にメモリカードが挿入されていた場合には、メモリカードを差し替えるのはユーザにとって面倒な操作である。また、携帯電話端末自体をリモートコントローラにする方法もあるが、テレビジョン受信機専用のリモートコントローラに比べボタン操作が多く、操作性が悪いという問題がある。
【０００８】
また、上記特許文献３に示すように、デジタルテレビ受信機から特定の端末へ情報を転送する方式では、ユーザが複数の端末を使用しており、情報を受信した端末以外の端末にメモリカードを挿入している場合には、メモリカードに情報が保存されないという問題がある。
【０００９】
この発明は上記のような問題点を解決するためになされたもので、メモリカードが携帯電話端末やパソコンなど複数ある端末のうちどの端末に接続されていても、特定のメモリカードへ情報が保存され、情報をメモリカード内に一元的に管理できるようにすることを目的とする。
また、情報を保存する先のメモリカードの登録も、ＩＤ番号を入力したり、秘匿性を確保するための暗号化の鍵を入力したり、といったわずらわしいユーザ操作なしに行えるようにすることを目的とする。
【課題を解決するための手段】
【００１０】
この発明に係る情報格納方式は、自らを識別する識別子が記憶された情報記憶装置と、
外部から送信された情報を受信する受信手段と、前記情報記憶装置が接続されていない時に前記受信手段で受信した受信情報を記憶する情報記憶装置の識別子を付加した問い合わせ要求を送信し、又前記問い合わせ要求に対する応答を受信すると前記受信手段で受信した前記受信情報を送信する第１の情報処理手段とを有する受信情報提供装置と、
前記情報記憶装置が接続された時に前記第１の情報処理手段により送信された前記識別子が接続中の情報記憶装置に記憶された識別子と一致した場合に前記問い合わせ要求に対する応答を前記受信情報提供装置に送信し、又前記第１の情報処理手段により送信された前記受信情報を接続中の前記情報記憶装置に記憶する第２の情報処理手段を有する端末と、を備えたものである。
【発明の効果】
【００１１】
この発明は、受信情報提供装置に外部から送信された情報を記憶する情報記憶装置が接続されていない時に、受信情報提供装置が情報を記憶する情報記憶装置の識別子を付加した問い合わせ要求を端末に送信し、端末に情報を記憶する情報記憶装置が接続されている時に、この接続された情報記憶装置の識別子と受信情報提供装置から送信された識別子とが一致した場合に、端末が受信情報提供装置から送信された情報を端末に接続された情報記憶装置に記憶することにより、受信情報提供装置が受信した情報を他の端末に接続された情報記憶装置に保存することができるので、情報記憶装置がどの端末に接続されていても、特定の情報記憶装置へ情報が保存され、情報を情報記憶装置内に一元的に管理することができる。
【発明を実施するための最良の形態】
【００１２】
実施の形態１．
図１は、実施の形態１のメモリカードへの情報格納方式の構成図である。
図１は、この発明の実施の形態１を示す構成図である。図において、デジタルテレビ１００は放送局４００から放送された番組を表示する装置である。
デジタルテレビ１００は、放送局４００からの番組を受信する受信手段としてのチューナ１０４、受信した番組や情報を解析処理し表示する表示手段としての解析・表示部１０５、リモートコントローラ（リモコン）８００などによりユーザ操作による入力を受けるユーザ入力手段としてのユーザ入力部１０６、接続されたメモリカード３００との読み書きを行うメモリカードインタフェース部１０１、番組内の情報をメモリカード３００へ保存する処理を行う情報処理手段としてのクリッピング処理部１０２、他の端末２００と通信を行うための通信手段としての近距離無線部１０３、情報の保存先となるメモリカード３００の情報を管理する管理手段としてのカード管理部１０７、などからなる。
【００１３】
端末２００は、デジタルテレビ１００と通信を行うための通信手段としての近距離無線部２０３、番組内の情報をメモリカード３００へ保存する処理を行う情報処理手段としてのクリッピング処理部２０２、接続されたメモリカード３００への読み書きを行う接続手段としてのメモリカードインタフェース部２０１、などからなる。ここで、端末２００は複数存在してもよい。
メモリカード３００は、メモリカード３００を一意に識別する識別子としてのカードＩＤ３０１と、各種情報を記憶する記憶部３０２などからなる情報記憶装置である。
【００１４】
次に動作について説明する。
図２は、メモリカード３００のカードＩＤ３０１をデジタルテレビ１００へ登録する処置動作を示すフローチャートである。
図２に従って、メモリカード３００をデジタルテレビ１００へ接続し、カードＩＤ３０１をデジタルテレビ１００へ登録する処理動作について説明する。
まず、メモリカード３００をデジタルテレビ１００へ接続する（ステップＳ１０１）と、メモリカードインタフェース部１０１はそれを検知し、メモリカード３００内のカードＩＤ３０１を読み出し、カードＩＤ３０１をクリッピング処理部１０２へ通知する（ステップＳ１０２）。
【００１５】
クリッピング処理部１０２は、メモリカードインタフェース部１０１からカードＩＤ３０１とともにメモリカード３００の挿入の通知を受けると、そのカードＩＤ３０１がカード管理部１０７に登録されているかチェックする（ステップＳ１０３）。そのカードＩＤ３０１がカード管理部１０７に登録されていない場合、クリッピング処理部１０２がユーザへ登録するか否か問い合わせた上で（ステップＳ１０４）、カードＩＤ３０１をカード管理部１０７へ登録する（ステップＳ１０６）。なお、このメモリカード３００のカードＩＤ３０１をデジタルテレビ１００へ登録する操作は、最初に一度だけ行えばよく、情報を保存するたびに行う必要はない。
【００１６】
次に、メモリカード３００を端末２００へ差換えた後、情報をデジタルテレビ１００からメモリカード３００へ保存する処理動作について、図３を参照しながら説明する。
図３は、メモリカード３００が端末２００に差し替えられた後にデジタルテレビ１００からメモリカード３００へ情報を保存する処置動作を示すフローチャートである。
図３に従って、メモリカード３００へ情報を保存する処理動作について説明する。
まず、ユーザがリモコン８００を操作し、デジタルテレビ１００に対し情報のメモリカード３００への保存（クリッピング）を指示する。デジタルテレビ１００のユーザ入力部１０６はこの指示を受け、クリッピング処理部１０２へ指示を出す（ステップＳ２１０１）。
【００１７】
クリッピング処理部１０２は、カード管理部１０７にカードＩＤ３０１が登録されているかチェックし（ステップＳ２１０２）、カードＩＤ３０１が登録されていない場合は「カードは登録されていません」などと、ユーザへエラーメッセージを表示し（ステップＳ２１１０）、処理を終了する。
一方、カードＩＤが登録されている場合には、クリッピング処理部１０２は、メモリカードインタフェース部１０１にメモリカード３００が接続されており、そのメモリカード３００のカードＩＤ３０１が一致するか否かチェックする（ステップＳ２１０３）。
【００１８】
カードＩＤ３０１が一致する場合は、クリッピング処理部１０２は、メモリカードインタフェース部１０１を介して直接メモリカード３００へ情報を保存し（ステップＳ２１１１）、処理を終了する。
メモリカード３００が接続されていない又はカードＩＤ３０１が異なる場合は、クリッピング処理部１０２が近距離無線部１０３を利用して近隣の端末２００に対しカード問合せ要求を送信する（ステップＳ２１０４）。
なお、このカード問合せ要求は、メモリカードを特定するカードＩＤを含んでおり、端末を特定せず近傍の全ての端末へ同報される。
【００１９】
近距離無線部２０３によりカード問合せ要求を受信（ステップＳ２２０４）した端末２００のクリッピング処理部２０２は、メモリカードインタフェース部２０１に接続されたメモリカード３００のカードＩＤ３０１とカード問合せ要求に含まれたカードＩＤを比較し、一致するか否かチェックする（ステップＳ２２０５）。
メモリカード３００が接続されていない又はカードＩＤが一致しない場合は、処理を中断しカード問合せ要求受信待ちの状態に戻る。
【００２０】
一方、カードＩＤが一致した場合は、クリッピング処理部２０２は近距離無線部２０３を利用してカード問合せ要求に対する応答をデジタルテレビ１００へ送信する（ステップＳ２２０６）。
デジタルテレビ１００はカード問合せ応答を受信（ステップＳ２１０６）すると、クリッピング処理部１０２は近距離無線部１０３を利用してメモリカード３００へ保存する情報であるクリッピング情報を応答した端末２００に送信し（ステップＳ２１０７）、処理を終了する。
クリッピング情報を受信（ステップＳ２２０７）した端末２００では、クリッピング処理部２０２がメモリカード３００へクリッピング情報を保存し（ステップＳ２２０８）、処理を終了する。
【００２１】
図４は、カード管理部１０７が複数のメモリカードを管理する場合の、登録データの一例を示した図である。
この例では、メモリカード３００のカードＩＤ３０１とともにカードに名前をつけられるようになっている。この名前は例えば、メモリカード３００をデジタルテレビへ接続し、ユーザへメモリカード３００を登録するか否か問い合わせる（図２のステップＳ１０４）際に、併せてユーザへカードの名前の入力を求め、入力された名前をカード管理部１０７へ登録しておくことでメモリカード３００に名前を登録しておくことができる。
また、メモリカード３００にあらかじめパソコンなどで名前を登録しておき、カードＩＤ３０１とともに読み出して、カード管理部１０７へ登録してもよい。
【００２２】
図５は、メモリカード３００にカード名を登録しておく場合のメモリカードの一例を示した図である。
メモリカード３００には、カードＩＤ３０１に加えてカード名３０３も保存されている。このカード名３０３は、デジタルテレビ３００や携帯端末、パソコンなどの端末によって入力される。このメモリカード３００に登録されたカード名３０３をデジタルテレビ１００がカードＩＤ３０１を読み出す際（図２のステップＳ１０２）にあわせて読み出し、カード管理部１０７へカードＩＤ３０１とともに登録する。
【００２３】
カード管理部１０７へ複数のメモリカードが登録された場合、保存先のメモリカードを選択する必要があるが、これは例えばデジタルテレビ１００へ情報のクリッピングを行い、カード管理部１０７がカードＩＤ３０１の登録をチェックした後（図３のステップＳ２１０２）、ユーザに選択させるなどして行う。
【００２４】
また、カードＩＤ３０１に加えて、情報の秘匿性を確保するための暗号鍵についても、メモリカード３００からデジタルテレビ１００に登録することによって、セキュリティを確保してもよい。
図６は、メモリカード３００に暗号鍵を登録しておく場合のメモリカードの一例を示した図である。図６に示すメモリカード３００は、図５のメモリカード３００の構成に加えて、通信時などに情報の秘匿性を確保するための暗号化に用いる暗号鍵３０４も保存されている。
この暗号鍵３０４は、デジタルテレビ１００がカードＩＤ３０１を読み出す際（図２のステップＳ１０２）にあわせて読み出し、カード管理部１０７へカードＩＤ３０３とともに登録する。
【００２５】
この場合のカード管理部１０７へ保存されるカードデータの例を図７に示す。
図７は、暗号鍵３０４をカード管理部１０７が管理する場合のメモリカード登録データの一例を示した図である。
図７では、図４のカード登録データの例に加えて、メモリカード毎に暗号鍵が保存されている。このカード管理部１０７に登録された暗号鍵は、デジタルテレビ１００と端末２００が通信をする際などに、情報を暗号化し情報の秘匿性を確保するために用いられる。
【００２６】
なお、ここでは情報を保存する装置としてデジタルテレビを例に説明したが、ＤＶＤレコーダーやパソコンなどの他の装置が情報をメモリカードへ保存するようにしてもよい。
また、ここではメモリカードとして説明したがカード型の形状をしていなくとも、ＵＳＢメモリやハードディスク装置など他の情報記憶装置でもよい。
さらに、ここでは通信手段として近距離無線を例に説明したが、ＬＡＮやＵＳＢなどの有線通信や携帯電話網などの広域無線などの通信手段でもかまわない。
【００２７】
以上のように、本実施の形態によれば、デジタルテレビへ情報の保存先となるメモリカードを登録し、このメモリカードが接続された端末を検索し、発見された端末へ情報を送信し、メモリカードへ保存する方法により、デジタルテレビの情報を他の端末に接続されたメモリカードに保存（クリッピング）することができる。
なお、情報の保存先となるメモリカードを挿入する端末は、情報の保存を指示するリモートコントローラである必要はなく、通信可能な他の端末でもかまわない。
【００２８】
また、あらかじめ登録した端末に対して情報を送信するのではなく、情報保存先のメモリカードの接続された端末を検索して送信する方法のため、１つのメモリカードを携帯電話端末やＰＤＡ、ＰＣなどのどの端末に接続していても、クリッピング情報は常に同一のメモリカードに保存され、一元管理することができる。
さらに、メモリカードや端末を特定するためのＩＤをユーザが入力する必要はないため、容易に設定することができるとともに、ＩＤの入力間違いを防止することができる。
【００２９】
実施の形態２．
図８は、実施の形態２のメモリカードへの情報格納方式の構成図である。
ここで、デジタルテレビ１００は、実施の形態１の図１に示す構成に加えて、メモリカード３００ヘ送信する情報の暗号化処理を行う暗号処理手段としての暗号処理部１０８を持つ。また、メモリカード３００は、実施の形態１の図１に示す構成に加えて、カードにつけられた名前であるカード名３０３、公開鍵暗号方式における公開鍵３０５と秘密鍵３０６、公開鍵暗号方式による暗号化・復号化処理を行う暗号処理部３０７、暗号処理部３０７が秘密鍵３０６を使用する際に利用者の認証を行うための暗証番号３０８を持つ。
【００３０】
一般的に公開鍵暗号方式では、公開鍵で暗号化したデータを復号するには秘密鍵がなければ復号できないため、公開鍵は知られてもよいが、秘密鍵は知られてはならない。そのため、ＩＣカード等のメモリカードにおいては、秘密鍵を耐タンパと呼ばれるハードウェア的に容易に読み出すことができないようにしており、この秘密鍵を使用するには暗証番号によるユーザ認証が必要である。
【００３１】
次に動作について説明する。
図９は、メモリカード３００のカードＩＤ３０１と公開鍵３０５をデジタルテレビ１００へ登録する処置動作を示すフローチャートである。
図９に従って、メモリカード３００をデジタルテレビ１００へ接続し、カードＩＤ３０３と公開鍵３０５をデジタルテレビ１００へ登録する処理動作について説明する。
この動作については、実施の形態１における図２のカードＩＤ３０１をデジタルテレビ１００へ登録する処理動作とほぼ同じであるが、ステップＳ１０６でカードＩＤ３０１をカード管理部１０７へ登録した後に動作が追加されている。
【００３２】
公開鍵３０５をメモリカード３００からメモリカードインタフェース部１０１により読み出し（ステップＳ３０１）、クリッピング処理部１０２が読み出した公開鍵３０５をカード管理部１０７へ登録する（ステップＳ３０２）。また、カード名３０３についてもメモリカードインタフェース部１０１がメモリカード３００からカード名３０３を読み出し（ステップＳ３０３）、クリッピング処理部１０２が読み出したカード名３０３をカード管理部１０７へ登録する（ステップＳ３０４）。この操作も最初に一度だけ行えばよく、情報を保存するたびに行う必要はない。
図１０は、カード管理部１０７に登録されるカード情報の一例を示した図である。図のように、メモリカード毎に、カードＩＤ、カード名、公開鍵が保存されている。
【００３３】
次に、メモリカード３００を端末２００へ差換えた後、情報をデジタルテレビ１００からメモリカード３００へ保存する処理動作について、図１１を参照しながら説明する。
図１１は、デジタルテレビ１００からメモリカード３００へ情報を保存する処置動作を示すフローチャートである。この動作は、実施の形態１の図３において、情報をデジタルテレビ１００からメモリカード３００へ保存する動作とほぼ同じであるが、クリッピング情報を送信する（ステップＳ２１０７）前に、クリッピング情報を暗号化する動作が追加されている（ステップＳ４１０１）。
【００３４】
この暗号化は、暗号処理部１０８によってクリッピング情報をカード管理部１０７に登録された公開鍵３０５を用いて行われる。なお、暗号化されたクリッピング情報は、端末２００で受信された後、復号化を行わずにそのままメモリカード３００へ保存する（ステップＳ２２０９）。ここで、暗号化されたクリッピング情報は復号しないため、秘密鍵３０６を必要とせず、また秘密鍵３０６を使用するための暗証番号入力も必要ない。
メモリカード３００に暗号化されて保存されたクリッピング情報は、ユーザがユーザ入力部１０８に情報表示要求を入力するユーザ操作により端末上などで表示する際に、メモリカード３００の暗号処理部３０７によって復号化される。
【００３５】
図１２は、メモリカード内の情報を表示する際の表示端末の構成を示した構成図である。
図において、メモリカード３００は図８と同様である。表示端末５００は、接続されたメモリカード３００への読み書きを行うメモリカードインタフェース部５０１、メモリカード３００に保存された情報の表示処理を行う表示処理手段としての表示処理部５０２、情報を表示する表示手段としての表示部５０３、ユーザ操作を受け付けるユーザ入力手段としてのユーザ入力部５０４などからなる。
なお、この例では表示端末５００は独立したものとしているが、前記のデジタルテレビ１００や端末２００などと統合された装置であってもよい。
【００３６】
図１３は、メモリカード３００内の情報を表示する際の処置動作を示すフローチャートである。
ユーザが、表示端末５００上で情報の表示を指示し、情報の読み出し要求がメモリカード３００に送られる（ステップＳ５１０１）。メモリカード３００は、情報の読み出し要求を受信すると（ステップＳ５２０１）、要求された情報の暗号化の有無による暗証番号の必要性をチェックする。このチェックは、要求された情報が暗号化されているか否かによって行う（ステップＳ５２０２）。暗証番号が不要の場合には、要求された情報を表示端末５００へ送り（ステップＳ５２０９、ステップＳ５１０９）、表示端末５００は情報を表示する（ステップＳ５１１０）。
【００３７】
暗証番号が必要な場合には、メモリカード３００から表示端末５００へ暗証番号を要求する（ステップＳ５２０３）。表示端末５００は、ユーザに暗証番号の入力を求め、ユーザはユーザ入力部５０４によって暗証番号を入力する（ステップＳ５１０４）。その後、表示端末５００は、メモリカード３００へ入力された暗証番号とともに再度情報読み出し要求を出す（ステップＳ５１０５、ステップＳ５２０６）。
【００３８】
メモリカード３００は、情報読み出し要求に含まれる暗証番号と内部に保存された暗証番号３０８を比較し、一致するかチェックする（ステップＳ５２０７）。暗証番号が一致しない場合には、エラーを表示端末５００へ通知し（ステップＳ５２２１、ステップＳ５１２１）、表示端末５００はエラーを表示する（ステップＳ５１２２）。
【００３９】
一方、メモリカード３００は、暗証番号が一致した場合、暗号処理部３０７により秘密鍵３０６を用いて情報を復号し（ステップＳ５２０８）、情報を表示端末５００へ渡す（ステップＳ５２０９）。情報を受けた（ステップＳ５１０９）表示端末５００は、表示部５０３により情報を表示する（ステップＳ５１１０）。
【００４０】
以上のように、本実施の形態によれば、デジタルテレビ上に表示された情報を保存する際に、情報を公開鍵で暗号化して、端末へ送信しメモリカードへ保存するため、情報の秘匿性を確保することができる。この際に利用する公開鍵は、メモリカードをデジタルテレビに接続して登録するので、ユーザ操作によって公開鍵を入力するというわずらわしい操作は必要がない。
また、メモリカードへは情報を復号せずに暗号化されたまま保存するため、情報の格納時には秘密鍵を利用するのに必要な暗証番号の入力というわずらわしい操作を行う必要がなく、簡単に情報を保存することができる。暗証番号の入力は、情報を表示するときにのみ必要となる。
【００４１】
実施の形態３．
図１４は、実施の形態３のメモリカードへの情報格納方式の構成図である。
ここで、デジタルテレビ１００は、実施の形態１の図１の構成図に加えて、近距離無線部１０３に代わって、ネットワーク７００を介してメールサーバ６００と通信を行う通信部１０９を持つ。端末２００も近距離無線部２０３に代わって、ネットワーク７００を介してメールサーバ６００と通信を行う通信部２０４を持つ。
メールサーバ６００は、ネットワーク７００を介してデジタルテレビ１００と端末２００と通信を行う通信部６０１と、電子メールを保存するメールボックス６０２を持つ。
また、メモリカード３００は、実施の形態１の図１に示す構成に加えて、電子メールのメールアドレス３０９、メールサーバやアカウント名などの電子メールを受信するためのパラメータであるメール受信設定３１０を持つ。
【００４２】
次に動作について説明する。
図１５は、メモリカード３００のメールアドレス３０９をデジタルテレビ１００へ登録する処置動作を示すフローチャートである。
図１５に従って、メモリカード３００をデジタルテレビ１００へ接続し、メールアドレスをデジタルテレビ１００へ登録する処理動作について説明する。
この動作については、実施の形態１における図２のカードＩＤ３０１をデジタルテレビ１００へ登録する動作とほぼ同じであるが、ステップＳ１０６でカードＩＤ３０１をカード管理部１０７へ登録した後に次の動作が追加されている。
【００４３】
メールアドレス３０９をメモリカード３００からメモリカードインタフェース部１０１により読み出し（ステップＳ６０１）、クリッピング処理部１０２が読み出したメールアドレス３０９をカード管理部１０７へ登録する（ステップＳ６０２）。
図１６は、メモリカード３００から読み出したメールアドレス３０９がカード管理部１０に登録されるメモリカード登録データの一例を示した図である。
メモリカード毎に、カードＩＤ、メールアドレスが保存されている。なお、このメモリカード３００のメールアドレス３０９をデジタルテレビ１００へ登録する操作は、最初に一度だけ行えばよく、情報を保存するたびに行う必要はない。
【００４４】
次に、メモリカード３００を端末２００へ差換えた後、情報をデジタルテレビ１００からメールサーバ６００へ送信する動作について、図１７を参照しながら説明する。
図１７は、デジタルテレビ１００からメールサーバ６００へ情報を送信する処置動作を示すフローチャートである。
まず、ユーザがリモコン８００を操作し、デジタルテレビ１００に対し情報のメモリカード３００への保存（クリッピング）を指示する。デジタルテレビ１００のユーザ入力部１０６はこの指示を受け、クリッピング処理部１０２へ指示を出す（ステップＳ７１０１）。
【００４５】
クリッピング処理部１０２は、カード管理部１０７にカードＩＤ３０１が登録されているかチェックし（ステップＳ７１０２）、カードＩＤ３０１が登録されていない場合は「カードは登録されていません」などと、ユーザへエラーメッセージを表示し（ステップＳ７１２１）、処理を終了する。
一方、カードＩＤが登録されている場合は、クリッピング処理部１０２は、メモリカードインタフェース部１０１にメモリカード３００が接続されており、そのメモリカード３００のカードＩＤ３０１が一致するか否かチェックする（ステップＳ７１０３）。
【００４６】
カードＩＤ３０１が一致する場合は、クリッピング処理部１０２は、メモリカードインタフェース部１０１を介して直接メモリカード３００へ情報を保存し（ステップＳ７１２２）、処理を終了する。
メモリカード３００が接続されていない又はカードＩＤが異なる場合は、クリッピング処理部１０２がカード管理部１０７にメールアドレスが登録されているかチェックし（ステップＳ７１０４）、メールアドレスが登録されていない場合は「メールアドレスは登録されていません」などとユーザへエラーメッセージを表示し（ステップＳ７１２３）、処理を終了する。
【００４７】
メールアドレスが登録されている場合は、クリッピング処理部１０２がこの登録されていたメールアドレスを送付先とするクリッピングした情報を含む電子メールを作成する（ステップＳ７１０５）。
そして、クリッピング処理部１０２は通信部１０９を利用してステップＳ７１０５で作成された電子メールをメールサーバ６００へ送信する（ステップＳ７１０６）。メールサーバ６００は、通信部６０１によって電子メールを受信し（ステップＳ７２０６）、メールボックス６０２に保存する（ステップＳ７２０７）。
【００４８】
次に、端末２００がメールサーバ６００からクリッピングされた情報を含む電子メールを受信し、メモリカード３００へ情報を保存する処理動作について、図１８を参照しながら説明する。
図１８は、端末２００がメールサーバ６００から情報を受信する処置動作を示すフローチャートである。
まず、ユーザ操作や周期的なタイマーなどをトリガーにして、端末２００は処理を開始する（ステップＳ８１００）。
【００４９】
端末２００は、メモリカードインタフェース部２００にメモリカード３００が接続されているか否かチェックする（ステップＳ８１０１）。メモリカード３００が接続されていない場合には、「カードは接続されていません」などと表示して（ステップＳ８１２１）終了する。
カードが接続されていた場合には、メール受信設定３１０をメモリカード３００から読み出す（ステップＳ８１０２）。このメール受信設定３１０は、メールサーバのアドレスやアカウント名など、デジタルテレビ１００からメールサーバ６００へ送信された電子メールを受信するために必要なパラメータが含まれている。
【００５０】
端末２００は、メモリカード３００から読み出したメール受信設定３１０のパラメータを用いて、通信部２０４によりメールサーバ６００へ電子メールを要求する（ステップＳ８１０３）。要求を受信したメールサーバ６００は、電子メールがメールボックス６０２に保存されているか否かチェックする。
メールボックス６０２中に電子メールがない場合は、電子メールがないことを端末２００へ通知し（ステップＳ８２２２）、通知を受けた（ステップＳ８１２２）端末２００は、「情報はありません」などと表示して終了する。
【００５１】
電子メールがメールボックス６０２にある場合には、電子メールを端末２００へ送信する（ステップＳ８２０５）。端末２００は電子メールを受信すると（ステップＳ８１０５）、電子メールからクリッピング情報を抽出し、メモリカード３００へ保存する（ステップＳ８１０６）。
【００５２】
以上のように、本実施の形態によれば、デジタルテレビへ情報の保存先となるメモリカードに関連付けられたメールアドレスを登録し、デジタルテレビがこのメールアドレスへクリッピング情報を含む電子メールを送信し、電子メールを受信した端末は電子メールに含まれるクリッピング情報をメモリカードに保存するという方法により、デジタルテレビの情報をメモリカードに保存（クリッピング）することができる。
なお、情報の保存先となるメモリカードを挿入する端末は、情報の保存を指示するリモートコントローラである必要はなく、他の端末でもかまわない。
【００５３】
また、メモリカードが携帯電話端末やＰＤＡやＰＣなどのどの端末に接続されていても、メモリカードに登録されたメールアドレスに対応するメール受信設定に従って電子メールを受信し、電子メールに含まれる情報をメモリカードへ保存するため、クリッピング情報は常に同一のメモリカードに保存され、一元管理することができる。
さらに、メモリカードや端末を特定するためのＩＤやメールアドレスをユーザが入力する必要はないため、容易に設定することができるとともに、ＩＤやメールアドレスの入力間違いを防止することができる。
【図面の簡単な説明】
【００５４】
【図１】実施の形態１のメモリカードへの情報格納方式の構成図。
【図２】実施の形態１においてメモリカード３００のカードＩＤ３０１をデジタルテレビ１００へ登録する処置動作を示すフローチャート。
【図３】実施の形態１においてデジタルテレビ１００からメモリカード３００へ情報を保存する処置動作を示すフローチャート。
【図４】実施の形態１においてカード管理部１０７が複数のメモリカードを管理する場合の登録データの一例を示した図。
【図５】実施の形態１においてメモリカード３００にカード名３０３を登録しておく場合のメモリカードの一例を示した図。
【図６】実施の形態１においてメモリカード３００に暗号鍵３０４を登録しておく場合のメモリカードの一例を示した図。
【図７】実施の形態１において暗号鍵３０４をカード管理部１０７が管理する場合のメモリカード登録データの一例を示した図。
【図８】実施の形態２のメモリカードへの情報格納方式の構成図。
【図９】実施の形態２においてメモリカード３００のカードＩＤ３０１と秘密鍵３０６をデジタルテレビ１００へ登録する処置動作を示すフローチャート。
【図１０】実施の形態２においてカード管理部１０７に登録されるカード情報の一例を示した図。
【図１１】実施の形態２においてデジタルテレビ１００からメモリカード３００へ情報を保存する処置動作を示すフローチャート。
【図１２】実施の形態２においてメモリカード内の情報を表示する際の表示端末の構成図。
【図１３】実施の形態２においてメモリカード３００内の情報を表示する際の処置動作を示すフローチャート。
【図１４】実施の形態３のメモリカードへの情報格納方式の構成図。
【図１５】実施の形態３においてメモリカード３００のメールアドレス３０９をデジタルテレビ１００へ登録する処置動作を示すフローチャート。
【図１６】実施の形態３においてメモリカード３００から読み出したメールアドレス３０９がカード管理部１０に登録されるメモリカード登録データの一例を示した図。
【図１７】実施の形態３においてデジタルテレビ１００からメールサーバ６００へ情報を送信する処置動作を示すフローチャート。
【図１８】実施の形態３において端末２００がメールサーバ６００から情報を受信する処置動作を示すフローチャート。
【符号の説明】
【００５５】
１００  デジタルテレビ、１０１  メモリカードインタフェース部、１０２  クリッピング処理部、１０３  近距離無線部、１０４  チューナ、１０５  解析・表示部、１０６  ユーザ入力部、１０７  カード管理部、２００  端末、２０１  メモリカードインタフェース部、２０２  クリッピング処理部、２０３  近距離無線部、３００  メモリカード、３０１  カードＩＤ、３０２  記憶部、４００  放送局、８００  リモートコントローラ（リモコン）。
【図１】
2006128892.tif 000003
【図２】
2006128892.tif 000004
【図３】
2006128892.tif 000005
【図４】
2006128892.tif 000006
【図５】
2006128892.tif 000007
【図６】
2006128892.tif 000008
【図７】
2006128892.tif 000009
【図８】
2006128892.tif 000010
【図９】
2006128892.tif 000011
【図１０】
2006128892.tif 000012
【図１１】
2006128892.tif 000013
【図１２】
2006128892.tif 000014
【図１３】
2006128892.tif 000015
【図１４】
2006128892.tif 000016
【図１５】
2006128892.tif 000017
【図１６】
2006128892.tif 000018
【図１７】
2006128892.tif 000019
【図１８】
2006128892.tif 000020